(57)【要約】      （修正有）【課題】素早く連結、取付けができる多方向のアルミ押出し型の連接装置を提供する。【解決手段】多方向のアルミ押出し型の連接装置は、連接部品１と、方向変換連結部品と、第一及び第二アルミ押出し型プレート４、５と、からなる。方向変換連結部品の両端には異なる方向の第一及び二連結部２１、２２が設けられ、第一及び第二連結部はそれぞれ連接部品と接合され、第一アルミ押出し型プレート４は連接部品の第一連結部２１の位置に貫設され、第二アルミ押出し型プレート５は連接部品に貫設され且つ第二連結部２２に位置し、第一及び第二アルミ押出し型プレートを連接させ、コーナーを備えた連結モジュールを形成する。各連接部品及び予め設けられた各アルミ押出し型プレートを接合させ、二つの予め設けられたアルミ押出し型プレートを、第一及び第二アルミ押出し型プレートとそれぞれ連接させる。素早く連結でき、システム性のある系統的な構造が可能である。【選択図】図３
0003214699.tif 000002
【実用新案登録請求の範囲】
【請求項１】
少なくとも二つの第四アルミ押出し型プレートを互いに接合させるのに用いられる、多方向のアルミ押出し型の連接装置であって、前記第四アルミ押出し型プレートには、一つの第三嵌合溝が設けられ、前記アルミ押出し型の連接装置は、二つの連接部品と、一つの方向変換連結部品と、一つの第一アルミ押出し型プレートと、一つの第二アルミ押出し型プレートと、を備え、
前記連接部品の一端には、一つの第一溝切が設けられるとともに、その他端には、一つの第二溝切が設けられ、前記第一溝切は一つの軸に接合され、前記軸が前記第一溝切の位置で上下に動くようにし、前記軸の他端を前記溝切に延伸させるとともに、一つの柄に接合され、また前記連接部品の両側の側辺にはそれぞれ一つの締付け部品が設けられ、
前記方向変換連結部品は、前記二つの連接部品と互いに連結固定され、前記方向変換連結部品の一端には、一つの第一連結部が設けられるとともに、その他端には、一つの第二連結部が設けられ、前記第一連結部及び前記第二連結部はそれぞれ異なる方向に向かうとともに、交わるように設けられ、前記第一連結部及び前記第二連結部の間に一つの夾角を形成させ、また、前記第一連結部及び前記連接部品の内の一つの第二溝切を接合させ、前記第二連結部及びもう一つの前記連接部品の第二溝切を接合させ、
前記第一アルミ押出し型プレートは、前記連接部品の内の一つと接合され、前記第一アルミ押出し型プレートには、一つの第一嵌合溝が設けられ、前記連接部品の内の一つ及び前記方向変換連結部品の第一連結部は、前記第一嵌合溝に貫設され、前記第一アルミ押出し型プレートを前記第一連結部の位置に対応させ、さらに、貫設された前記第一嵌合溝の前記連接部品を前記第一アルミ押出し型プレートの外部に延伸させ、
前記第二アルミ押出し型プレートは、もう一つの前記連接部品と接合され、前記第二アルミ押出し型プレートには、一つの第二嵌合溝が設けられ、また、もう一つの前記連接部品及び前記方向変換連結部品の第二連結部は、前記第二嵌合溝に貫設され、前記第二アルミ押出し型プレートを前記第二連結部の位置に対応させ、さらに、貫設された前記第二嵌合溝の前記連接部品を前記第二アルミ押出し型プレートの外部に延伸させることを特徴とする、多方向のアルミ押出し型の連接装置。
【請求項２】
前記第一連結部及び前記第二連結部の間には、一つの縱方向に垂直な夾角が形成されることを特徴とする、請求項１に記載の多方向のアルミ押出し型の連接装置。
【請求項３】
前記方向変換連結部品の前記第一連結部の隣の位置には、一つの固定穴が設けられ、前記方向変換連結部品の前記第二連結部の隣の位置には、一つの固定穴が設けられ、前記第一連結部に位置する固定穴は、前記第一嵌合溝内で対応させられるとともに、一つの第三固定部品と対応して固定され、前記第二連結部に位置する固定穴は、前記第二嵌合溝内で対応させられるとともに、一つの第三固定部品と対応して固定されることを特徴とする、請求項１に記載の多方向のアルミ押出し型の連接装置。
【請求項４】
前記第一アルミ押出し型プレートの前記第一嵌合溝の両側には、それぞれ一つの第一定位孔が設けられ、前記第二アルミ押出し型プレートの前記第二嵌合溝の両側には、それぞれ一つの第二定位孔が設けられ、前記第一アルミ押出し型プレートの前記二つの第一定位孔には、それぞれ一つの固定バーが挿設され、前記第二アルミ押出し型プレートの前記二つの第二定位孔には、それぞれ前記固定バーの他端が挿設されることを特徴とする、請求項１に記載の多方向のアルミ押出し型の連接装置。
【請求項５】
前記第一アルミ押出し型プレートは、前記方向変換連結部品の第一連結部に位置し、前記第二アルミ押出し型プレートは、前記方向変換連結部品の第二連結部に位置し、前記第一アルミ押出し型プレート及び前記第二アルミ押出し型プレートに、交わった連接状態を形成させ、前記連接部品の内の一つの前記柄及び前記二つの締付け部品は、その内一つの前記第四アルミ押出し型プレートの第三嵌合溝内にそれぞれ嵌め込まれ、その内一つの前記第四アルミ押出し型プレート及び前記第一アルミ押出し型プレートに、連接状態を形成させ、もう一つの前記連接部品の前記柄及び前記二つの締付け部品は、その内もう一つの前記第四アルミ押出し型プレートの第三嵌合溝内にそれぞれ嵌め込まれ、その内もう一つの前記第四アルミ押出し型プレート及び前記第二アルミ押出し型プレートに、連接状態を形成させることを特徴とする、請求項１に記載の多方向のアルミ押出し型の連接装置。
【請求項６】
前記多方向のアルミ押出し型の連接装置は、さらに、一つの第三アルミ押出し型プレートを備え、前記第三アルミ押出し型プレートは前記方向変換連結部品と接合され、前記第三アルミ押出し型プレートの片側の側辺には、一つの第一接合端が設けられるとともに、その他方の側の側辺には、一つの第二接合端が設けられ、且つ前記第三アルミ押出し型プレートの窪みには、一つの接合溝が設けられ、前記方向変換連結部品の夾角は、前記接合溝の内の位置に設けられ、前記第一連結部に位置する前記連接部品を、前記第三アルミ押出し型プレートの外部に延伸させ、前記第二連結部に位置する前記連接部品を、前記第三アルミ押出し型プレートの外部に延伸させ、その内一つの前記連接部品及び前記方向変換連結部品の第一連結部を、前記第一嵌合溝に貫設させ、前記第一アルミ押出し型プレートを前記第一連結部の位置で向かい合わせるとともに、前記第三アルミ押出し型プレートの第一接合端と接合させ、前記第一嵌合溝に貫設された前記連接部品を、前記第一アルミ押出し型プレートの外部に延伸させ、もう一つの前記連接部品及び前記方向変換連結部品の第二連結部を、前記第二嵌合溝に貫設させ、前記第二アルミ押出し型プレートを前記第二連結部の位置に対応させるとともに、前記第三アルミ押出し型プレートの第二接合端と接合させ、前記第二嵌合溝に貫設された前記連接部品を前記第二アルミ押出し型プレートの外部に延伸させ、前記第一アルミ押出し型プレートを前記方向変換連結部品の第一連結部及び前記第一接合端の位置に設け、さらに、前記第二アルミ押出し型プレートを前記方向変換連結部品の第二連結部及び前記第二接合端の位置に設け、前記第一アルミ押出し型プレート及び前記第二アルミ押出し型プレートが交わって連接するようにし、その内一つの前記連接部品の前記柄及び前記二つの締付け部品は、その内一つの前記第四アルミ押出し型プレートの第三嵌合溝内にそれぞれ嵌め込まれ、その内一つの前記第四アルミ押出し型プレート及び前記第一アルミ押出し型プレートを接合させ、もう一つの前記連接部品の前記柄及び前記二つの締付け部品は、もう一つの前記第四アルミ押出し型プレートの第三嵌合溝内にそれぞれ嵌め込まれ、その内もう一つの前記第四アルミ押出し型プレート及び前記第二アルミ押出し型プレートを接合させることを特徴とする、請求項１に記載の多方向のアルミ押出し型の連接装置。
【請求項７】
前記第三アルミ押出し型プレートの縱の方向には、少なくとも二つの接合ブロックが設けられ、各前記接合ブロックには、上向きに一つの第三連結部が設けられ、前記第三連結部縱方向に前記連接部品の第二溝切が連接されることを特徴とする、請求項６に記載の多方向のアルミ押出し型の連接装置。
【請求項８】
前記第一アルミ押出し型プレートの前記第一嵌合溝の両側には、それぞれ一つの第一定位孔が設けられ、前記第二アルミ押出し型プレートの前記第二嵌合溝の両側には、それぞれ一つの第二定位孔が設けられ、前記第四アルミ押出し型プレートの前記第三嵌合溝の両側には、それぞれ一つの第三定位孔が設けられ、前記第一定位孔及び一つの前記第四アルミ押出し型プレートの第三定位孔には、一つの固定バーが挿設され、前記第二定位孔及びもう一つの前記第四アルミ押出し型プレートの第三定位孔には、一つの固定バーが挿設されることを特徴とする、請求項６に記載の多方向のアルミ押出し型の連接装置。
【考案の詳細な説明】
【技術分野】
【０００１】
本考案は、多方向のアルミ押出し型の連接装置に関し、特に取付け業者が取付けの必要に応じて、二つのアルミ押出し型プレートの間のコーナーの連結を素早く行い、取付け施工時間を効果的に短縮するシステム構造に関する。
【背景技術】
【０００２】
現在見られる軽いタイプの架台構造は、すべてアルミ合金製のアルミ押出し型を主な資材として採用し、主に軽い材質で、剛性が高いものが主流であり、したがって、建設や展覧会の会場の基架或いは小屋のパーテンション用の架台としたり、物品展示用の展示架台としたり、物体積載用の壁掛け架台としたり、オフィスデスクの仕切り用のパーテンション台としたりすることができ、さらに、アルミドア或いはアルミサッシの架台として使う…等、汎用性においてあらゆる分野を網羅している。それゆえ、アルミ押出し型の組立て構造及び考案は、この種の製品のキーポイントとなっており、現在に至るまで、業者は複数のアルミ押出し型架台の組立てだけではなく、連続したシステム構造の組立てに困難を極めてきた。
【考案の概要】
【考案が解決しようとする課題】
【０００３】
本考案は、素早くアルミ押出し型プレートを連結させて取付けができる多方向のアルミ押出し型の連接装置を提供することを目的とする。
【課題を解決するための手段】
【０００４】
本考案の技術特徴は、方向変換連結部品を利用して、その両端に異なる方向を向いた第一連結部及第二連結部が交わるように設けられ、第一連結部及び第二連結部をそれぞれ一つの連接部品と接合させ、また、第一アルミ押出し型プレートを、前記連接部品の内の一つに貫設するとともに、第一連結部の位置に設け、また、第二アルミ押出し型プレートを、もう一つの連接部品に貫設するとともに、第二連結部の位置に設け、第一アルミ押出し型プレート及び第二アルミ押出し型プレートを交わって連接させ、一つのコーナーを備えた連結モジュールを形成する。これによって各連接部品及び予め設けられた各アルミ押出し型プレートをそれぞれ接合させ、二つの予め設けられたアルミ押出し型プレートが、第一アルミ押出し型プレート及び第二アルミ押出し型プレートと、それぞれ連接状態を形成するようにさせ、取付け業者がその取付けの必要に応じて、素早く二つのアルミ押出し型プレートの間のコーナーを連結して取付けが行えるようにし、効果的に施工時間を短縮できる。
【図面の簡単な説明】
【０００５】
【図１】本考案におけるアルミ押出し型の連接装置の連接部品の分解図である。
【図２】本考案におけるアルミ押出し型の連接装置の連接部品の実施例の概略図である。
【図３】本考案におけるアルミ押出し型の連接装置の実施例１の概略図である。
【図４】本考案におけるアルミ押出し型の連接装置の実施例１の分解図である。
【図５】本考案におけるアルミ押出し型の連接装置の実施例２の分解図である。
【図６】本考案におけるアルミ押出し型の連接装置の実施例２の俯瞰図である。
【図７】本考案におけるアルミ押出し型の連接装置の実施例２の側視図である。
【図８】本考案におけるアルミ押出し型の連接装置の実施例３の概略図である。
【考案を実施するための形態】
【０００６】
図１から図４を参照する。本考案は、多方向のアルミ押出し型の連接装置に関し、特に、少なくとも二つの第四アルミ押出し型プレート８を互いに接合させる。本考案のアルミ押出し型の連接装置は、二つの連接部品１と、一つの方向変換連結部品２と、一つの第一アルミ押出し型プレート４と、一つの第二アルミ押出し型プレート５と、からなる。
【０００７】
連接部品１の一端には、一つの第一溝切１１が設けられ、他端には、一つの第二溝切１２が設けられ、第一溝切１１は一つの第一固定部品１６によって一つの軸１３に接合され、軸１３を連接部品１の第一溝切１１の位置で上下に動くようにし、また軸１３の他端を第一溝切１１の外に延伸させるとともに、一つの柄１４に接合され、前記柄１４も同じく一つの第一固定部品１６によって、方式で結合軸１３の他端に接合される。また、連接部品１の両側側辺に、それぞれ一つの第一固定部品１６によって一つの締付け部品１５が接合され、締付け部品１５の一部分が連接部品１の側辺から突き出るようにする。
【０００８】
方向変換連結部品２は、前記二つの連接部品１を互いに固定連結させるのに用いられ、方向変換連結部品２の一端には、一つの第一連結部２１が設けられ、他端には、一つの第二連結部２２が設けられ、第一連結部２１及び第二連結部２２は、それぞれ異なる方向に向かうとともに、交わるように設けられ、第一連結部２１及び第二連結部２２の間には、一つの縱方向の垂直を呈した夾角（例えば９０度の夾角）が形成され、第一連結部２１及びその内の一つの連接部品１の第二溝切１２が接合されるとともに、第二連結部２２及び前記連接部品の内の一つ１の第二溝切１２が接合される。また、方向変換連結部品２の第一連結部２１の隣の位置には、一つの固定穴２３が設けられるとともに、方向変換連結部品２の第二連結部２２の隣の位置にも同じく、一つの固定穴２３が設けられる。
【０００９】
また、前記方向変換連結部品２の第一連結部２１は、少なくとも一つの第二固定部品２４によって、その内の一つの連接部品１の第二溝切１２と接合され、また、方向変換連結部品２の第二連結部２２も同じく、少なくとも一つの第二固定部品２４によって、その内の一つの連接部品１の第二溝切１２と接合される。
【００１０】
第一アルミ押出し型プレート４は、その内の一つの連接部品１と接合され、第一アルミ押出し型プレート４には、一つの第一嵌合溝４１が設けられるとともに、第一嵌合溝４１の両側には、それぞれ一つの第一定位孔４２が設けられる。前記連接部品の内の一つ１及び方向変換連結部品２の第一連結部２１は、第一アルミ押出し型プレート４の第一嵌合溝４１に貫設され、第一連結部２１の位置に対応して第一アルミ押出し型プレート４が設けられ、第一嵌合溝４１に貫設させた連接部品１を、第一アルミ押出し型プレート４の外部に延伸させる。
【００１１】
第二アルミ押出し型プレート５は、その内の一つの連接部品１と接合され、第二アルミ押出し型プレート５には、一つの第二嵌合溝５１が設けられるとともに、第二嵌合溝５１の両側には、それぞれ一つの第二定位孔５２が設けられる。前記連接部品の内の一つ１及び方向変換連結部品２の第二連結部２２は、第二アルミ押出し型プレート５の第二嵌合溝５１に貫設され、第二連結部２２の位置に対応して第二アルミ押出し型プレート５が設けられ、第二嵌合溝５１に貫接された連接部品１を、第二アルミ押出し型プレート５の外部に延伸させる。
【００１２】
（実施例１）
本考案が挙げる実施例１によると、前記二つの連接部品１と、方向変換連結部品２と、第一アルミ押出し型プレート４と、第二アルミ押出し型プレート５とを組み立てる時、まず、連接部品１の内の一つ及び方向変換連結部品２の第一連結部２１を、第一アルミ押出し型プレート４の第一嵌合溝４１に貫設させ、第一連結部２１の位置に第一アルミ押出し型プレート４を対応させる。この時第一連結部２１に位置する固定穴２３は、第一嵌合溝４１内に対応し、一つの第三固定部品３によって固定穴２３に対応させて固定し、第一アルミ押出し型プレート４を第一連結部２１の位置で固定させ、且つ第一アルミ押出し型プレート４に設けられた二つの第一定位孔４２には、それぞれ一つの固定バー６が挿設される。さらに、もう一つの連接部品１及び方向変換連結部品２の第二連結部２２は、第二アルミ押出し型プレート５の第二嵌合溝５１に貫設され、第二アルミ押出し型プレート５は第二連結部２２の位置で対応し、この時第二連結部２２に位置する固定穴２３は、第二嵌合溝５１内に対応し、同じく一つの第三固定部品３によって固定穴２３に対応して固定され、第二アルミ押出し型プレート５が第二連結部２２の位置で固定されるようにし、また第二アルミ押出し型プレート５に設けられた二つの第二定位孔５２にそれぞれ固定バー６をその他端に挿入する。このようにして、第一アルミ押出し型プレート４及び第二アルミ押出し型プレート５が交わって固定連接され、一つのコーナーを備えた連結モジュールを形成させる（図３を参照する）。
【００１３】
ここで、再び二つの連接部品１を、それぞれ第一アルミ押出し型プレート４及び第二アルミ押出し型プレート５の外部に延伸させて、各連接部品１を用いて一つの第四アルミ押出し型プレート８と接合させる（図８を参照する）。また、前記第四アルミ押出し型プレート８には、一つの第三嵌合溝８１が設けられるとともに、第三嵌合溝８１の両側には、それぞれ一つの第三定位孔８２が設けられる。連接部品１を第四アルミ押出し型プレート８の第三嵌合溝８１内に挿入し、さらに連接部品１の柄１４を第三嵌合溝８１内に挿入し、連接部品１の両側の締付け部品１５及び第三嵌合溝８１を互いに接触させ、連接部品１及び第四アルミ押出し型プレート８を安定して接合させる。この外に、第四アルミ押出し型プレート８及び第一アルミ押出し型プレート４が接合される時、第四アルミ押出し型プレート８の第三定位孔８２及び第一アルミ押出し型プレート４の第一定位孔４２には、一つの固定バー６が挿入される。第四アルミ押出し型プレート８及び第二アルミ押出し型プレート５が接合される時、第四アルミ押出し型プレート８の第三定位孔８２及び第二アルミ押出し型プレート５の第二定位孔５２には、一つの固定バー６が挿入される。このようにして、予め設けられた二つの第四アルミ押出し型プレート８は、第一アルミ押出し型プレート４及び第二アルミ押出し型プレート５と、それぞれ連接されてコーナーを形成し、取付け業者はその取付けの必要に応じて、二つの予め設けられた第四アルミ押出し型プレート８の間のコーナーの連結作業を素早く行うことが可能であり、効果的に施工時間を短縮することができる。
【００１４】
（実施例２）
再び図５から図８を同時に参照する。本考案の実施例２においては、さらに、一つの第三アルミ押出し型プレート７を備える。また、少なくとも四つ以上の前記連接部品１を備える。第三アルミ押出し型プレート７の片側の側辺には、一つの第一接合端７１が設けられるとともに、他方の側の側辺には、一つの第二接合端７２が設けられ、且つ第三アルミ押出し型プレート７の溝には、一つの接合溝７３が設けられるとともに、縱方向に少なくとも二つの接合ブロック７４が設けられ、各接合ブロック７４には、上向きに一つの第三連結部７４１が設けられる。また、前記方向変換連結部品２の第一連結部２１及び第二連結部２２は、それぞれ異なる方向に向かうとともに、交わるように設けられ、第一連結部２１及び第二連結部２２の間に、横向き（平面）垂直を呈した夾角（例えば９０度の夾角）を形成させる。
【００１５】
組み立てる時、まず方向変換連結部品２の垂直コーナー（夾角）を第三アルミ押出し型プレート７の接合溝７３内の位置に設け、その内の一つの連接部品１を、第三アルミ押出し型プレート７の外部の一つの方向に向かって延伸させるとともに、もう一つの連接部品１を、第三アルミ押出し型プレート７の外部の別の方向に向かって延伸させる。また、第三アルミ押出し型プレート７に設けられた接合ブロック７４の第三連結部７４１を、それぞれ縦方向で前記連接部品１の第二溝切１２に接合させる。また、前記連接部品の内の一つ１及び方向変換連結部品２の第一連結部２１を、第一アルミ押出し型プレート４の第一嵌合溝４１に貫設し、第一アルミ押出し型プレート４を第一連結部２１の位置で対応させて設け、さらに、もう一つの連接部品１及び方向変換連結部品２の第二連結部２２を、第二アルミ押出し型プレート５の第二嵌合溝５１に貫設し、第二アルミ押出し型プレート５を第二連結部２２の位置で対応させて設ける。このようにして、第一アルミ押出し型プレート４及び第二アルミ押出し型プレート５を、第三アルミ押出し型プレート７の第一接合端７１及び第二接合端７２と、それぞれ固定連接させ、コーナーを備えた一つの連結モジュールを形成させる（図６及び図７を参照する）。
【００１６】
（実施例３）
二つの連接部品１を利用して、第一アルミ押出し型プレート４及び第二アルミ押出し型プレート５の外部にそれぞれ延伸させることで、各連接部品１を、一つの第四アルミ押出し型プレート８と互いに接合させることができる（図８を参照する）。前記第四アルミ押出し型プレート８には、一つの第三嵌合溝８１が設けられるとともに、第三嵌合溝８１の両側には、それぞれ一つの第三定位孔８２が設けられる。連接部品１を第四アルミ押出し型プレート８の第三嵌合溝８１内に挿入し、さらに連接部品１の柄１４を嵌入第三嵌合溝８１内に嵌め込むことによって、連接部品１の両側の締付け部品１５及び第三嵌合溝８１を互いに接触させ、連接部品１が第四アルミ押出し型プレート８と安定して接合されるようにする。この外に、第四アルミ押出し型プレート８及び第一アルミ押出し型プレート４が接合された時、第四アルミ押出し型プレート８の第三定位孔８２及び第一アルミ押出し型プレート４の第一定位孔４２に、一つの固定バー６を挿入する。第四アルミ押出し型プレート８及び第二アルミ押出し型プレート５が接合された時、第四アルミ押出し型プレート８の第三定位孔８２及び第二アルミ押出し型プレート５の第二定位孔５２に、一つの固定バー６を挿入する。このようにして、二つの予め設けられた第四アルミ押出し型プレート８を、それぞれ第一アルミ押出し型プレート４及び第二アルミ押出し型プレート５と接合されコーナーを形成する。取付け業者は、その取付けの必要に応じて、二つの予め設けられた第四アルミ押出し型プレート８の間のコーナーを素早く連結させて組立てを行え、効果的に施工時間を短縮することが可能である。
【００１７】
注目に値するのは、前記第一アルミ押出し型プレート４及び第二アルミ押出し型プレート５及び第三アルミ押出し型プレート７は、すべて連接部品１及び第四アルミ押出し型プレート８によって連接され、連接部品１を利用して押して嵌め込む方式で、第一アルミ押出し型プレート４及び第二アルミ押出し型プレート５及び第三アルミ押出し型プレート７を接合させることによって、効果的に素早く且つ確実にシステム性のある系統的な組立て構造を完成させることができ、さらに、何度も取付けして、外せるという使用における最大のメリットがある。
【符号の説明】
【００１８】
１      連接部品
１１    第一溝切
１２    第二溝切
１３    軸
１４    柄
１５    締付け部品
１６    第一固定部品
２      方向変換連結部品
２１    第一連結部
２２    第二連結部
２３    固定穴
２４    第二固定部品
３      第三固定部品
４      第一アルミ押出し型プレート
４１    第一嵌合溝
４２    第一定位孔
５      第二アルミ押出し型プレート
５１    第二嵌合溝
５２    第二定位孔
６      固定バー
７      第三アルミ押出し型プレート
７１    第一接合端  
７２    第二接合端
７３    接合溝
７４    接合ブロック
７４１  第三連結部
８      第四アルミ押出し型プレート
８１    第三嵌合溝
８２    第三定位
【図１】
0003214699.tif 000003
【図２】
0003214699.tif 000004
【図３】
0003214699.tif 000005
【図４】
0003214699.tif 000006
【図５】
0003214699.tif 000007
【図６】
0003214699.tif 000008
【図７】
0003214699.tif 000009
【図８】
0003214699.tif 000010